(57)【特許請求の範囲】
【請求項１】
複数の表示装置を備えた表示システムであって、
前記複数の表示装置のそれぞれは、
画像を表示する表示パネルと、
前記複数の表示装置のいずれかの設定情報を送信及び／又は受信する送受信部と、
を備え、
前記複数の表示装置のいずれか１つである第１の表示装置は、
座標を取得する座標取得部をさらに備え、
前記第１の表示装置の前記送受信部である第１の送受信部は、
前記座標により特定される前記表示装置である第２の表示装置から、該第２の表示装置の設定情報である第２の設定情報を受信し、
前記第１の表示装置の前記表示パネルである第１の表示パネルは、
前記複数の表示装置の配置を示す配置画像を表示し、
前記座標は、前記配置画像における位置に対応する座標であり、
前記第１の表示パネルは、前記座標を取得した場合に、前記座標により特定される前記第２の表示装置の配置に対応する表示領域に前記第２の設定情報を示す設定画像を表示する、
表示システム。
【請求項２】
前記第１の送受信部は、
前記複数の表示装置のいずれかの設定情報を送信及び受信する送受信部であり、前記第１の表示装置に入力される情報に基づいて変更された前記第２の設定情報を、前記第２の表示装置へ送信する、
請求項１に記載の表示システム。
【請求項３】
前記第２の表示装置の前記送受信部は、
前記第１の表示装置からの要求を受信した場合に、前記第２の設定情報を前記第１の表示装置へ送信することを特徴とする、
請求項１又は２に記載の表示システム。
【請求項４】
前記要求は、
前記座標により前記第２の表示装置が特定された際に、前記第１の表示装置から前記第２の表示装置へ送信される、
請求項３に記載の表示システム。
【請求項５】
前記設定画像は、
前記第２の設定情報に基づいて前記第１の表示装置が生成することを特徴とする、
請求項３又は４に記載の表示システム。
【請求項６】
前記第１の表示装置は、
タッチ操作されるタッチパネルをさらに備え、
前記座標は、前記タッチ操作に基づいて取得されることを特徴とする、
請求項１乃至５のいずれかに記載の表示システム。
【請求項７】
前記第１の表示装置は、
電波を受信する電波受信部、又は赤外光を受光する受光部をさらに備え、
前記座標は、前記電波又は前記赤外光に基づいて取得されることを特徴とする、
請求項１乃至６のいずれかに記載の表示システム。
【請求項８】
表示システムを構成する複数の表示装置のうちの１つとして用いられる表示装置であって、
画像を表示する表示パネルと、
前記複数の表示装置のうちの１つである他の表示装置の設定情報を受信する受信部と、
座標を取得する座標取得部と、
を備え、
前記他の表示装置は、前記座標により特定される表示装置であり、
前記表示装置には、前記複数の表示装置の垂直及び水平に配置される数が設定され、
前記表示パネルは、
前記数に基づいて、前記複数の表示装置の配置を示す配置画像を表示し、
前記座標は、前記配置画像における位置に対応する座標であり、
前記表示パネルは、前記座標を取得した場合に、前記座標により特定される前記他の表示装置の配置に対応する表示領域に前記設定情報を示す設定画像を表示する、
表示装置。
【請求項９】
複数の表示装置のうちの１つである第１の表示装置が行う、前記複数の表示装置を備えた表示システムの調整方法であって、
前記複数の表示装置の配置を示す配置画像を表示するステップと、
前記配置画像における位置に対応する座標を取得するステップと、
前記座標により特定される前記表示装置である第２の表示装置から、該第２の表示装置の設定情報である第２の設定情報を受信するステップと、
前記座標を取得した場合に、前記座標により特定される前記第２の表示装置の配置に対応する表示領域に前記第２の設定情報を示す設定画像を、前記第１の表示装置に表示させるステップと、
を備える調整方法。
【発明の詳細な説明】
【技術分野】
【０００１】
本発明は、表示システム、表示装置、調整方法に関する。
【背景技術】
【０００２】
近年、複数の表示装置を近接して配置させた表示システムが増加している。表示システムにおいては、複数の表示装置全体で１つの画像を表示すること等が可能である。
【０００３】
表示システムを使用する際には、表示システムを構成する複数の表示装置のうち特定の表示装置についてのみ、設定を変更したい場合がある。例えば、特許文献１には、１台のリモコンで、マルチ画面を構成する表示装置のうち、所定の表示装置にだけ所望の操作を可能とする表示装置が記載されている。
【先行技術文献】
【特許文献】
【０００４】
【特許文献１】特開２００６−３３７４８２
【発明の概要】
【発明が解決しようとする課題】
【０００５】
しかし、特許文献１に記載された表示装置においては、設定を変更すべき特定の表示装置を選択する際、リモコンのカーソルボタンを用いる。表示システムを構成する表示装置の数が多くなると、カーソルボタンを押下する回数が増加し、表示装置を選択する操作が煩わしくなる。また、表示装置が大型になると、選択した表示装置に表示された設定画像の位置がユーザから遠くなり、見えにくくなるため操作しづらくなる。
【０００６】
このように、表示システムを構成する複数の表示装置のうち、特定の表示装置の設定の変更を快適に行えない、という課題があった。
【０００７】
本発明の目的は、上述した課題を解決する表示システム、表示装置、制御方法を提供することにある。
【課題を解決するための手段】
【０００８】
上記目的を達成するため、本発明における表示システムは、複数の表示装置を備え、前記複数の表示装置のそれぞれは、画像を表示する表示パネルと、前記複数の表示装置のいずれかの設定情報を送信及び／又は受信する送受信部と、を備え、前記複数の表示装置のいずれか１つである第１の表示装置は、座標を取得する座標取得部をさらに備え、前記第１の表示装置の前記送受信部である第１の送受信部は、前記座標により特定される前記表示装置である第２の表示装置から、該第２の表示装置の設定情報である第２の設定情報を受信し、前記第１の表示装置の前記表示パネルである第１の表示パネルは、前記第２の設定情報を示す設定画像を表示する。
【０００９】
上記目的を達成するため、本発明における表示装置は、画像を表示する表示パネルと、他の表示装置の設定情報を受信する受信部と、座標を取得する座標取得部と、を備え、前記他の表示装置は、前記座標により特定される表示装置であって、前記表示パネルは、前記設定情報を示す設定画像を表示する。
【００１０】
上記目的を達成するため、本発明における調整方法は、複数の表示装置を備えた表示システムの調整方法であって、座標を取得するステップと、前記座標により特定される前記表示装置である第２の表示装置から、該第２の表示装置の設定情報である第２の設定情報を受信するステップと、前記第２の設定情報を示す設定画像を、前記複数の表示装置のうちの１つである第１の表示装置に表示させるステップと、を備える。
【発明の効果】
【００１１】
本発明によれば、表示システムを構成する複数の表示装置のうち、特定の表示装置の設定の変更を快適に行うことができる。
【図面の簡単な説明】
【００１２】
【図１】本発明の表示システムの構成を示す図である。（ａ）は、表示システムを構成する表示装置の設定及び配線を示している。（ｂ）は、表示システムの外観を示している。
【図２】本発明の表示システムを構成する表示装置のブロック図である。
【図３】本発明の表示システムを構成する複数の表示装置のうち、マスターディスプレイとして動作する表示装置の動作フローチャートである。
【図４】本発明の表示システムを構成する複数の表示装置のうち、スレーブディスプレイとして動作する表示装置の動作フローチャートである。
【図５】本発明の表示システムの動作例を示す図である。（ａ）は、設定変更モードが選択された場合の初期状態である。（ｂ）は、設定変更モードにおいて、特定の表示装置を選択した状態である。
【図６】本発明の表示装置のブロック図である。
【図７】本発明の表示装置の動作フローチャートである。
【発明を実施するための形態】
【００１３】
以下、本発明の実施形態について図面を用いて説明する。
【００１４】
本発明の表示システム１の構成を図１に示す。
【００１５】
図１（ａ）は、表示システム１を構成する表示装置１１〜１９の設定及び配線を示している。
【００１６】
表示装置１１〜１９には、ＬＡＮ（Ｌｏｃａｌ  Ａｒｅａ  Ｎｅｔｗｏｒｋ）ケーブルやＲＳ−２３２Ｃ（Ｒｅｃｏｍｍｅｎｄｅｄ  Ｓｔａｎｄａｒｄ  ２３２  ｖｅｒｓｉｏｎ  Ｃ）ケーブル等の通信ケーブルがデイジーチェーンで接続されている。また、画像信号を伝送するディスプレイケーブルも、通信ケーブルと同様にデイジーチェーンで接続されている。表示装置１１には、あらかじめ識別番号ＩＤ（Ｉｄｅｎｔｉｆｉｃａｔｉｏｎ）として「１」が付与されている。この表示装置１１は、表示システム１におけるマスターディスプレイとして動作する。表示装置１１に対して通信ケーブル及びディスプレイケーブルがデイジーチェーンで接続された表示装置１２〜１９には、接続されている順に、ＩＤとして「２」〜「９」が付与されている。表示装置１２〜１９は、表示システム１におけるスレーブディスプレイとして動作する。
【００１７】
表示システム１を構成する表示装置１１〜１９は、図１（ａ）に示すように、垂直に３台、水平に３台となるように配置されている。これらの数は、「３×３」として表示装置１１〜１９に設定されている。そして、配置番号ＰＯＳＩＴＩＯＮとして、左上の表示装置１７には「１」が付与されている。その他の表示装置１１〜１６，１８，１９には、配置に基づいて、ＰＯＳＩＴＩＯＮとして「２」〜「９」が付与されている。
【００１８】
図１（ｂ）は、表示システム１の外観を示している。表示装置１１〜１９には、画像Ｉの画像信号が入力され、表示装置１１〜１９全体で画像Ｉが表示されている。このような表示は、表示装置１１〜１９の上記の設定により、実現されている。例えば、表示装置１１は、垂直及び水平に配置された表示装置の数「３×３」及びＰＯＳＩＴＩＯＮ「７」の設定により、画像Ｉを垂直及び水平にそれぞれ３分割した部分画像のうち、左下の部分画像を表示している。同様に、表示装置１２〜１９も、それぞれの設定により、画像Ｉの部分画像を表示している。
【００１９】
なお、通信ケーブルやディスプレイケーブルは、必ずしもデイジーチェーンで接続されている必要はない。表示装置１１〜１９は、それぞれ設定情報や画像信号を受信できればよい。
【００２０】
図２に、表示装置１１〜１９のブロック図を示す。表示装置１１〜１９の各々のブロック図は、一部を除き、共通している。表示装置１１〜１９は、制御部２１、メモリ２２、画像入力部２３、画像出力部２４、画像処理部２５、表示駆動部２６、表示パネル２７、送受信部２８を備える。表示装置１１は、さらに、座標取得部２９を備える。
【００２１】
制御部２１は、表示装置１１〜１９における様々な処理を行う。例えば、制御部２１は、メモリ２２に記憶された設定情報を参照し、画像処理部２５にその設定情報に基づいた設定を行う。制御部２１は、例えば、ＭＰＵ（Ｍｉｃｒｏ−Ｐｒｏｃｅｓｓｉｎｇ  Ｕｎｉｔ）である。
【００２２】
メモリ２２は、少なくとも表示装置の設定情報を記憶する。例えば、表示装置１１のメモリ２２は、表示装置１１の設定情報を記憶する。また、表示装置１１のメモリ２２は、表示装置１１以外の表示装置の設定情報をさらに記憶してもよい。メモリ２２は、例えば、ＲＡＭ（Ｒａｎｄｏｍ  Ａｃｃｅｓｓ  Ｍｅｍｏｒｙ）やフラッシュメモリである。
【００２３】
画像入力部２３には、画像信号が入力される。画像入力部２３には、ディスプレイケーブルが接続される。画像信号出力装置等が出力した画像信号が、ディスプレイケーブルにより伝送され、画像入力部２３に入力される。
【００２４】
画像出力部２４は、通常、画像入力部２３に入力された画像信号と同じ画像信号を出力する。画像出力部２４にもディスプレイケーブルが接続され、このディスプレイケーブルは、後段の表示装置の画像入力部２３に接続される。なお、画像出力部２４は、画像入力部２３に入力された画像信号とは異なる画像信号を出力してもよい。
【００２５】
画像処理部２５は、画像入力部２３に入力された画像信号に基づく画像の画像処理を行う。この画像処理は、輝度や色等の画質調整や解像度変換等の信号処理であり、制御部２１により設定された設定情報等に基づいて行われる。また、画像処理部２５は、制御部２１からＯＳＤ（Ｏｎ  Ｓｃｒｅｅｎ  Ｄｉｓｐｌａｙ）画像（設定画像）を表示する旨の指示を受けつけると、ＯＳＤ画像を含む画像を生成する。その他、後述する配置画像も生成する。
【００２６】
表示駆動部２６は、画像処理部２５から受け取った画像を表示パネル２７に表示させる。具体的には、表示駆動部２６は、表示パネル２７を駆動するための信号を生成し、表示パネル２７に出力する。
【００２７】
表示パネル２７は、画像を表示する領域として、表示領域を有する。その表示領域に、表示駆動部２６から入力された信号に基づいた画像を表示する。つまり、表示パネル２７は、画像処理部２５が生成した画像を表示し、ＯＳＤ画像を表示する。なお、表示パネル２７は、例えば、液晶パネル、有機ＥＬ（Ｅｌｅｃｔｒｏ  Ｌｕｍｉｎｅｓｃｅｎｃｅ）パネル、プラズマディスプレイパネル等である。
【００２８】
送受信部２８は、表示装置の設定情報を送信又は受信する。送受信部２８には、ＬＡＮケーブルまたはＲＳ−２３２Ｃケーブル等の通信ケーブルが接続される。この通信ケーブルは、後段の表示装置の送受信部２８に接続される。
【００２９】
座標取得部２９は、表示パネル２７の表示領域における座標又はこれに対応する座標を取得する。座標取得部２９は、例えば、タッチパネルを備え、タッチパネルのタッチ操作に基づいて座標を取得する。また、座標取得部２９は、例えば、電波を受信する電波受信部を備え、動きや位置等に応じた情報を電波で発信するリモコンから受信する電波に基づいて座標を取得する。その他、座標取得部２９は、例えば、赤外光受光部を備え、リモコンが発する赤外光を受光し、受光した赤外光に基づいて座標を取得してもよい。
【００３０】
図３に、表示システム１におけるマスターディスプレイの動作フローチャートを示す。なお、表示システム１におけるマスターディスプレイは、表示装置１１である。この動作フローチャートは、表示システム１を構成する表示装置１１〜１９のうち、特定の表示装置についてのみ設定を変更したい場合に用いられる設定変更モードが選択されていることを前提とする。つまり、この動作フローチャートは、「開始」において、設定変更モードが選択されているものとする。
【００３１】
まず、配置画像を表示する（ステップＳ３１）。具体的には、マスターディスプレイの表示駆動部２６は、配置画像を表示パネル２７に表示させる。配置画像は、表示システムを構成する複数の表示装置の配置を示す画像である。配置画像は、例えば、画像入力部２３に入力された画像信号に基づく画像全体に相当する画像である。
【００３２】
次に、座標を取得したか否かを判定する（ステップＳ３２）。具体的には、座標取得部２９が座標を取得した場合には、制御部２１は座標を取得したと判定する（ステップＳ３２−ＹＥＳ）。また、座標取得部２９が座標を取得しなかった場合には、制御部２１は座標を取得しなかったと判定する（ステップＳ３２−ＮＯ）。
【００３３】
座標を取得した場合には（ステップＳ３２−ＹＥＳ）、座標により特定される表示装置の設定画像を表示する（ステップＳ３３）。具体的には、表示装置１１〜１９のうち、座標により特定される表示装置（すなわち、選択された表示装置）のＯＳＤ画像を、マスターディスプレイの表示パネル２７に表示させる。このＯＳＤ画像は、特定された表示装置の設定情報に基づいて、マスターディスプレイの画像処理部２５が生成する。選択された表示装置の送受信部２８は、マスターディスプレイからの要求を受信した場合に、設定情報をマスターディスプレイへ送信する。マスターディスプレイからの要求は、表示装置を選択した際、またはそれ以前に送信される。なお、選択された表示装置のＯＳＤ画像は、選択された表示装置等、マスターディスプレイ以外の表示装置が生成してもよい。
【００３４】
なお、座標取得部２９により取得される座標は、表示パネル２７に表示された配置画像における位置に対応する座標である。この座標は、例えば、配置画像における座標である。また、タッチパネル等における位置を示す座標であってもよい。
【００３５】
次に、設定情報が変更されたか否かを判定する（ステップＳ３４）。マスターディスプレイの表示パネル２７に表示されたＯＳＤ画像には、特定された表示装置の設定情報が含まれている。ユーザは、このＯＳＤ画像を見ながら座標を入力する等により、この設定情報を変更することができる。Ｓ３４において、マスターディスプレイの制御部２１は、設定情報が変更されたか否かを判定する。
【００３６】
設定情報が変更された場合には（ステップＳ３４−ＹＥＳ）、特定された表示装置へ、変更された設定情報を送信する（ステップＳ３５）。具体的には、マスターディスプレイの制御部２１は、送受信部２８に変更された設定情報を送信させる。送信される設定情報には、特定された表示装置を示す情報が添付される。
【００３７】
一方、設定情報が変更されなかった場合には（ステップＳ３４−ＮＯ）、Ｓ３５を行わない。
【００３８】
次に、設定情報の変更が終了したか否かを判定する（ステップＳ３６）。マスターディスプレイの制御部２１は、例えば、設定情報の変更を終了する旨の指示を受けつけた場合に、設定情報の変更が終了したと判定する。その他、表示装置１１の制御部２１は、表示されていたＯＳＤ画像を非表示にする旨の指示を受けつけた場合に、設定情報の変更が終了したと判定してもよい。
【００３９】
設定情報の変更は終了した場合（ステップＳ３６−ＹＥＳ）、設定画像を非表示にする（ステップＳ３７）。具体的には、マスターディスプレイの表示パネル２７に表示していたＯＳＤ画像を非表示にする。
【００４０】
一方、設定情報の変更は終了していない場合（ステップＳ３６−ＮＯ）、Ｓ３４に戻る。
【００４１】
次に、表示システムの調整は終了したか否かを判定する（ステップＳ３８）。具体的には、マスターディスプレイの制御部２１が、設定変更モードを終了する旨の指示を受けつけた場合に、表示システム１の調整は終了したと判定する（ステップＳ３８−ＹＥＳ）。
【００４２】
表示システムの調整が終了した場合には（ステップＳ３８−ＹＥＳ）、割り当てられた画像を表示する（ステップＳ３９）。具体的には、マスターディスプレイの表示パネル２７には、画像信号に基づく画像の一部に相当する画像を表示する。
【００４３】
一方、表示システムの調整が終了していない場合には（ステップＳ３８−ＮＯ）、Ｓ３２に戻る。
【００４４】
なお、上記のＳ３２，Ｓ３４，Ｓ３６，Ｓ３８において、それぞれの判定は行わなくてもよい。判定を行わない場合も、判定を行う場合と同様に、Ｓ３２，Ｓ３４，Ｓ３６，Ｓ３８のそれぞれの条件にしたがって、図３の動作フローチャートに記載された後続の動作を行うものとする。
【００４５】
次に、図４に、表示システム１においてスレーブディスプレイの動作フローチャートを示す。表示システム１におけるスレーブディスプレイは、表示装置１２〜１９である。
【００４６】
この動作フローチャートは、表示装置１１において上記の設定変更モードが選択されていることを前提とする。つまり、この動作フローチャートは、「開始」において、設定変更モードが選択されたものとして説明する。なお、スレーブディスプレイにおいて、設定変更モードはなくてもよい。スレーブディスプレイにおいて設定変更モードがなくても、スレーブディスプレイは図４の動作フローチャートにしたがって動作すればよい。
【００４７】
まず、設定情報を受信したか否かを判定する（ステップＳ４１）。具体的には、上記のＳ３５において送信された設定情報を、スレーブディスプレイの送受信部２７が受信したか否かを判定する。
【００４８】
設定情報を受信した場合には（ステップＳ４１−ＹＥＳ）、特定された表示装置であるか否かを判定する（ステップＳ４２）。具体的には、上記のＳ３５において送信された設定情報に添付された情報に基づいて、スレーブディスプレイの制御部２１は、特定された表示装置であるか否かを判定する。
【００４９】
特定された表示装置である場合には（ステップＳ４２−ＹＥＳ）、設定情報を変更する（ステップＳ４３）。具体的には、スレーブディスプレイの制御部２１は、送受信部２８が受信した設定情報をメモリ２２に記憶させ、さらに画像処理部２５にその設定情報に基づいた設定を行う。その結果、スレーブディスプレイは、受信した設定情報に基づいて表示パネル２７に画像を表示する。
【００５０】
なお、設定情報を受信しなかった場合（ステップＳ４１−ＮＯ）や、特定された表示装置ではない場合には（ステップＳ４２−ＮＯ）、Ｓ４１に戻る。
【００５１】
図５に、表示システム１の動作例を示す。以下では、表示装置１１の座標取得部２９は、タッチパネルを備えているものとして説明する。
【００５２】
図５（ａ）に、設定変更モードが選択された場合の初期状態を示す。
【００５３】
マスターディスプレイである表示装置１１は、配置画像を表示している（ステップＳ３１）。配置画像は、表示システム１全体で表示する画像Ｉと同じ画像に、ガイド線が重畳された画像である。このガイド線は、表示システム１において垂直及び水平に配置された表示装置の数「３×３」に基づいて、垂直及び水平にそれぞれ３分割するガイド線である。
【００５４】
表示装置１１に表示された画像Ｉのうち、「４」の表示された領域１１ａを指Ｆでタッチ操作した場合には（ステップＳ３２）、表示装置１１の制御部２１は、表示装置１６が特定されたものと判断する。
【００５５】
図５（ｂ）に、設定変更モードにおいて、表示装置１６が特定された状態を示す。この状態においては、表示装置１１の領域１１ａに、表示装置１６のＯＳＤ画像５０が表示されている（ステップＳ３３）。なお、表示装置１６にはＯＳＤ画像が表示されていないが、表示されていてもよい。
【００５６】
ＯＳＤ画像５０には、表示装置１６の設定情報が含まれている。この設定情報は、表示装置１６の送受信部２８が送信し、表示装置１１の送受信部２８が受信した情報である。ユーザは、表示装置１１へのタッチ操作等により、ＯＳＤ画像５０を見ながら、表示装置１６の設定情報を変更することができる。
【００５７】
表示装置１６の設定情報が変更されると（ステップＳ３４−ＹＥＳ）、表示装置１１の送受信部２８は、特定された表示装置である表示装置１６へ、変更された設定情報を送信する（ステップＳ３５）。送信された設定情報には、特定された表示装置である表示装置１６を示す情報が添付される。
【００５８】
スレーブディスプレイである表示装置１２〜１９の送受信部２８は、表示装置１１が送信した設定情報を受信する（ステップＳ４１−ＹＥＳ）。設定情報に添付された情報から、表示装置１６のみが特定された表示装置であると判定する（ステップＳ４２−ＹＥＳ）。一方、表示装置１２〜１５、１７〜１９は、特定された表示装置ではないと判定する（ステップＳ４２−ＮＯ）。
【００５９】
そして、表示装置１６の制御部２１は、受信した設定情報をメモリ２２に記憶させるとともに、画像処理部２５に設定情報を設定する。その結果、表示装置１６は、受信した設定情報に基づいて表示パネル２７に画像を表示する。
【００６０】
なお、表示装置１６の設定情報の変更が終了した場合には（ステップＳ３６−ＹＥＳ）、表示装置１１に表示されていたＯＳＤ画像５０は非表示となり（ステップＳ３７）、図５（ａ）に示した表示状態となる。さらに、表示システム１の調整が終了した場合（ステップＳ３８−ＹＥＳ）、つまり、マスターディスプレイである表示装置１１において設定変更モードが選択されなくなった場合には、表示装置１１は割り当てられた画像を表示する（ステップＳ３９）。つまり、図１（ｂ）に示した表示状態となる。
【００６１】
なお、マスターディスプレイである表示装置１１は、設定変更モードが選択された場合に、スレーブディスプレイである表示装置１２〜１９のそれぞれの設定情報に基づいて、画像を表示してもよい。この場合、表示装置１１は、設定変更モードが選択された際またはそれ以前に、スレーブディスプレイである表示装置１２〜１９へ要求を送信し、それぞれの設定情報を受信する。そして、表示装置１１は、画像Ｉを垂直及び水平にそれぞれ３分割した部分画像を、それぞれの設定情報又は変更された設定情報に基づいて表示する。
【００６２】
このように、本発明の表示システム１においては、設定変更モードが選択された表示装置１１は、表示システム１全体で表示する画像Ｉと同じ画像を表示する。また、表示装置１１は、タッチパネル等を含む座標取得部２９を有している。そのため、ユーザは、表示装置１１に表示された画像を見ながら、表示装置１１へのタッチ操作等により座標を指定すれば、設定変更したい表示装置を簡便に選択することができる。
【００６３】
また、表示装置を選択すると、設定画像は表示装置１１に表示される。そのため、ユーザは、表示装置１１に表示された設定画像を見ながら、表示装置１１へのタッチ操作等により、選択した表示装置の設定変更を行うことができる。
【００６４】
さらに、選択した表示装置の設定画像は、選択した表示装置の配置に対応する表示領域に表示される。そのため、ユーザは、設定変更する表示装置を簡単に認識することができる。
【００６５】
したがって、本発明の表示システムにより、表示システムを構成する複数の表示装置のうち、特定の表示装置の設定の変更を快適に行うことができる。
【００６６】
次に、本発明の表示装置６０について説明する。表示装置６０は、表示システムを構成する複数の表示装置のうち、マスターディスプレイとして動作する表示装置である。
【００６７】
図６に、表示装置６０のブロック図を示す。表示装置６０は、表示パネル６１、受信部６２、及び座標取得部６３を備える。
【００６８】
表示パネル６１は、表示パネル２７と同様のものである。表示パネル６１は、画像を表示する。
【００６９】
受信部６２は、送受信部２８と同様のものである。受信部６２は、他の表示装置の設定情報を受信する。
【００７０】
座標取得部６３は、座標取得部２９と同様のものである。座標取得部６３は、座標を取得する。
【００７１】
図７に、表示装置６０の動作フローチャートを示す。
【００７２】
まず、座標を取得する（ステップＳ７１）。具体的には、座標取得部６３が座標を取得する。
【００７３】
次に、座標により特定される表示装置の設定情報を受信する（ステップＳ７２）。具体的には、受信部６２は、特定される表示装置の設定情報を受信する。
【００７４】
なお、Ｓ７１及びＳ７２の順番は、逆であってもよい。つまり、座標を取得する前に、あらかじめ、表示システムを構成する複数の表示装置の設定情報を受信していてもよい。
【００７５】
そして、座標により特定される表示装置の設定画像を表示する（ステップＳ７３）。具体的には、表示パネル６１は、特定された表示装置の設定情報を示す設定画像を表示する。
【００７６】
このように、本発明の表示装置６０は、表示装置６０に指定した座標により特定される他の表示装置の設定画像を表示する。そのため、ユーザは、設定変更したい表示装置を簡便に選択でき、その設定情報を同じ表示装置において閲覧することができる。これにより、ユーザは、表示装置６０に表示された画像を見ながら、表示装置６０へのタッチ操作等により、選択した表示装置の設定変更を行うことができる。
【００７７】
したがって、本発明の表示装置により、表示システムを構成する複数の表示装置のうち、特定の表示装置の設定の変更を快適に行うことができる。
【００７８】
以上、本発明の実施形態について提示し、詳細に説明したが、添付の特許請求の範囲の趣旨又は範囲から逸脱しない限り、さまざまな変更及び修正が可能である。
【符号の説明】
【００７９】
１    表示システム
１１〜１９    表示装置
Ｉ    画像
２１    制御部
２２    メモリ
２３    画像入力部
２４    画像出力部
２５    画像処理部
２６    表示駆動部
２７    表示パネル
２８    送受信部
２９    座標取得部
５０    ＯＳＤ画像
６０    表示装置
６１    表示パネル
６２    受信部
６３    座標取得部
【図１】
0006640468.tif 000002
【図２】
0006640468.tif 000003
【図３】
0006640468.tif 000004
【図４】
0006640468.tif 000005
【図５】
0006640468.tif 000006
【図６】
0006640468.tif 000007
【図７】
0006640468.tif 000008